(57)【要約】      （修正有）【課題】住宅建設の内装工事現場において、高所の作業に用いる踏み台を使用したり、運搬したりした場合に、内装を傷めることがなく、また、軽量で運搬が容易であることを実現する技術を提供する。【解決手段】発泡スチロールの中実ブロックの表面に滑り止めラバー２を貼り付け、ブロックに運搬用の吊り下げ紐３を取り付けた踏み台１とした。【選択図】図１
2007205146.tif 000002
【特許請求の範囲】
【請求項１】
発泡スチロールの中実ブロックの表面に滑り止めラバーを貼り付けてあることを特徴とする踏み台。
【請求項２】
請求項１の踏み台において、前記滑り止めラバーの内側に熱拡散シートが貼り付けられていることを特徴とする踏み台。
【請求項３】
請求項１または２の踏み台において、吊り下げ紐が取付けられていることを特徴とする踏み台。
【請求項４】
請求項１から３のいずれかの踏み台において、複数個の前記踏み台が互いに面接合して１つの大きな踏み台を形成することを特徴とする踏み台。
【請求項５】
請求項４の踏み台において、互いに面接合する前記中実ブロックの面の対向位置に中空管が差し込まれていることと、この互いに対向位置にある中空管をつなぎ合わせるつなぎ棒を備えていることを特徴とする踏み台。
【請求項６】
請求項１から５のいずれかの踏み台において、前記踏み台に作業者が乗って高所の作業を行うことを特徴とする踏み台の使用方法。
【発明の詳細な説明】
【技術分野】
【０００１】    本発明は踏み台およびその使用方法に関する。
【背景技術】
【０００２】  住宅新築工事の屋内内装工事においてはカーテンレールの取り付け作業など高所作業に脚立や踏み台を用いる場面が多い。脚立に関しては踏み板の面積を広くとる技術提案が特開２００５−１２０６１８においてなされるなど、脚立自身の使いやすさ向上に関する技術も多数提案されてきている。脚立はアルミなどの金属で出来ており、脚立が屋内の壁面にぶつかると、折角仕上げた壁材に傷がついてやり直しをしなければならないといったことも起こるので、屋内内装工事においては脚立などの機材によって壁面を傷つけないように作業者は細心の注意を払っているのが現状である。脚立自身にも工夫を凝らしている場合がある。特開２００５−１８８２０９、特開２００５−６０９５１では脚立や踏み台の脚部用カバーに関する技術提案がなされている。このように脚立や踏み台で内装を傷つけないことが工事現場での１つの課題であった。
【特許文献１】特開２００５−１２０６１８
【特許文献２】特開２００５−１８８２０９
【特許文献３】特開２００５−６０９５１
【発明の開示】
【発明が解決しようとする課題】
【０００３】  以上述べた通り、従来使用している高所での作業用の脚立や踏み台は屋内内装を傷つけてしまう可能性があるのでその運搬や使用の際には細心の注意を払う必要があり、作業自体に集中できないこともあり得た。また、実際に傷つけてしまうとその回復作業に時間がかかりまた余分な費用がかかるといったこととなってしまう。これを防ぐために脚部用カバーが考案されているが、このようなカバーが取り付けられている場合においてもカバーで覆われていない部分が内装にぶつかれば内装を傷つけることになるし、カバーで覆われている部分であってもそれが勢いよく内装に衝突するような場合には傷が付く懸念がある。以上述べた通り、従来の脚立や踏み台は内装を傷つける懸念を抱えた状態で使用してきていた。
【課題を解決するための手段】
【０００４】本発明の踏み台は、発泡スチロールの中実ブロックの表面に滑り止めラバーを貼り付けてあることを第１の特徴とし、
第２に、前記第１の特徴に加えて、前記滑り止めラバーの内側に熱拡散シートが貼り付けられていることを、
第３に、前記第１または第２の特徴に加えて、吊り下げ紐が取付けられていることを、
第４に、前記第１から第３のいずれかの特徴に加えて、複数個の前記踏み台が互いに面接合して１つの大きな踏み台を形成することを、
第５に、前記第４の特徴に加えて、互いに面接合する前記中実ブロックの面の対向位置に中空管が差し込まれていることと、この互いに対向位置にある中空管をつなぎ合わせるつなぎ棒を備えていることを特徴とし、
第６に本発明の踏み台の使用方法として、前記第１から第５のいずれかの特徴を備える踏み台の使用方法として、前記踏み台に作業者が乗って高所の作業を行うことを特徴とする。
【発明の効果】
【０００５】  本発明の踏み台を用いると安全容易に高所の作業を行うことができる。軽量材料である発泡スチロールを立方体形状の塊のまま使用してその表面に滑り止めラバーなどの柔軟物質で囲んでいる状態であるので踏み台を踏み抜いてしまうようなこともなく安定した足場で作業を行うことができる。軽量でもあるので踏み台の運搬に際しても楽に運ぶことができる。吊り下げ紐が取り付けられている場合にはその紐を肩にかけて運搬することで両手が自由に使うことができる。この踏み台が内装に衝突した場合でも踏み台自体が軽量であるので慣性で勢いよく衝突することもなくまた素材自体が柔軟性を持つので内装を傷つけることがない。それと同時に踏み台自体の損傷もほとんどない。このため、例えばこの踏み台を２階から１階に放り投げるような乱暴な扱いをしても内装も踏み台自体も損傷がない。この踏み台は内装作業用だけでなく、引っ越し業者の高所作業用や各家庭での常備踏み台としても利用が可能である。【０００６】  さらに、この踏み台を複数個並べることで広い面積の踏み台を形成することができる。一度に広い領域での高所作業が行えるので作業効率が上がる。さらに、高さ方向に積み上げることでさらに高いところの作業を行うことができる。
【発明を実施するための最良の形態】
【０００７】  本発明を実施するための最良の形態について実施例１として、図１を用いて説明する。図１は一辺６００ｍｍの立方体形状の踏み台１である。前記踏み台は発泡スチロールの表面に滑り止めラバー２を６面の全ての面に貼り付けた構造をしている。発泡スチロールは一般に普及している発泡倍率６０倍のものを使っている。立方体の内部まですべて発泡スチロールが詰まった中実の構造であるので、踏み台のどの位置に乗っても踏み抜いたりたわんだりといったことが起きない。このラバーの素材は＊＊＊である。この踏み台は屋内の板材の上、畳の上、リノリウム床の上、タイルの上などで使用されるので、それらの面で踏み台が滑らないことおよびそれらの材質、たとえば畳などの材質を傷めないことを配慮してラバーの素材を選定した。前記滑り止めラバーの内面には熱拡散を目的としてアルミホイルが全面貼り付けてある。熱拡散のためのアルミホイルは、作業者が踏み台に乗って、高所で溶接作業を行う場合に、高温の溶接材料が踏み台に落下することを想定した対策技術である。発泡スチロールは熱に弱く、高温に加熱された半田や溶接材料が発泡スチロールに当たるとその部分が溶けて穴が空くと同時にその溶けた材料が再度固まると従来のソフトな材質が硬くなってしまい、この部分が新築工事現場の内装に触れた場合には内装を傷めてしまうことがある。前記アルミホイルは発泡スチロールが溶けることを防ぐために貼り付けてある。【０００８】  この踏み台の中実構造について詳しく説明する。発泡スチロールは材質自体が固体構造部分と空間部分とで構成された発泡構造であり、そのために比重が小さく、また、断熱能力も高い。発泡スチロールは、その断熱能力の高さを利用して冷凍容器や保温容器として使用されているが、この場合には一般的に中に品物を入れるために中空の容器構造をしているので、この容器を踏み台として利用しようとすると乗った位置によっては発泡スチロールを踏み抜いて踏み台を壊してしまうことになる。このように、身近によく見かける発泡スチロールではあるが、そのほとんどは中空の容器形状である。もしくは人が乗ることができないほど小さな、たとえば数十ミリメートルサイズの塊である。本発明では発泡スチロールを数百ミリメートルレベルの大きさの中実の立方体にしている。発泡体であるので軽量であり、中実の構造であるので、この踏み台の上に人が乗った場合に、その重みによる力は真下に向かって床まで伝わり、床が受け止めるので乗った人はバランスを崩すことなく安全に作業をすることができる。発泡スチロールの表面がそのまま露出すると何かにぶつかったり人が乗ることで、その構造体が欠落することがありえるが、本踏み台では滑り止めラバーで表面が保護されているので、発泡スチロールが欠けるということが防げる。表面を滑り止めラバーで保護していることで、発泡スチロールに乗って作業者が不安定にならないかという強度面だけを考慮して発泡スチロールの材料選定を行うことができ、発泡スチロールの発泡倍率６０倍のもの、すなわち、空間堆積の大きいものを選ぶことができる。【０００９】  ハンマーなどの硬くて重い工具を誤って踏み台に落とした場合、前述した発泡倍率６０倍のものでは発泡スチロールがへこんだり、一部が欠けたりする。屋内の作業において作業者は屋内の内装や床を傷めないように裸足であったりやわらかい素材の靴を履いていたりしているので、発泡倍率６０倍のやわらかい素材で十分に対応できるが、発泡スチロールの中でより固めの素材として前記発泡倍率の低い物、例えば５０倍、４０倍、３０倍といった発泡倍率のものを使用する。強度を必要とする場合には発泡倍率３０倍の発泡スチロールを用いる。発泡倍率３０倍の発泡スチロールは６０倍のものに比べて空隙が少ない分、固さが増している。このように発泡スチロール材料は踏み台の目的や使用環境に応じて発泡倍率を選んで使う。
【実施例】
【００１０】  本発明の第２の実施例について、図２から図４を用いて説明する。それぞれ本発明の踏み台１を複数個並べたものである。図２では横方向にそれぞれ２面づつ接するように同じ形状の踏み台を４つ並べた例である。図３は踏み台１を５個並べた例である。図２の４つの配列の中央位置に１つの踏み台を追加で載せた例である。この例では踏み台２段分の高さでの作業を行うことができる。図４は踏み台を１４個並べた例である。３段に積んでいる。一番下の段は９個を並べて、２段目は４個、最上段の３段目は１個並べている。その並べ方は図４に描くとおり、１段目の９個の１隅に２段目、３段目の１隅を揃えてある。このように本発明の踏み台は複数個並べることで、より高所での作業を容易にかつ安全に行うことができる。【００１１】  本発明の第３の実施例を図５を用いて説明する。図１に示した一辺６００ｍｍの立方体形状の踏み台１の６つの面全ての中心位置に内径５０ｍｍで長さ１００ｍｍの中空管４を差し込んである。そして、外径４９ｍｍで長さが９０ｍｍの円筒形のつなぎ棒５が、図５に示すとおりに対向する面の中空管の両方に差し込む例である。図５では差し込み途中の段階を描いてある。
【図面の簡単な説明】
【００１２】
【図１】は本発明の第１の実施例を示す斜視図である。
【図２】は本発明の第２の実施例の第１の形態を示す斜視図である。
【図３】は本発明の第２の実施例の第２の形態を示す斜視図である。
【図４】は本発明の第２の実施例の第３の形態を示す斜視図である。
【図５】は本発明の第２の実施例を示す断面構造図である。
【符号の説明】
【００１３】１は踏み台、２は滑り止めラバー、３は吊り下げ紐、４は中空管、５はつなぎ棒である。
【図１】
2007205146.tif 000003
【図２】
2007205146.tif 000004
【図３】
2007205146.tif 000005
【図４】
2007205146.tif 000006
【図５】
2007205146.tif 000007